(57)【特許請求の範囲】
【請求項１】
水分が塗布された一対の加湿ローラーによって形成されるニップ部を用紙が通過することにより、当該用紙を加湿する用紙加湿装置であって、
前記一対の加湿ローラーに接して水を塗布する一対の給水ローラーと、
前記一対の給水ローラーに対して隙間を確保した状態で近接し、前記一対の給水ローラーが前記一対の加湿ローラーに対して水分を塗布する前に、前記一対の給水ローラーの水膜量を規制する一対の第１規制部材と、
前記給水ローラーの回転軸方向に沿う奥行き方向に移動可能な２つの水切り部材を有し、前記一対の給水ローラーが前記一対の加湿ローラーに対して水分を塗布する前に、前記一対の給水ローラーのうち用紙幅方向の両端部に相当する箇所の水膜量を前記２つの水切り部材によって規制する一対の第２規制部材と、
加湿する用紙の情報に基づいて、前記一対の第１規制部材の前記一対の給水ローラーに対する隙間量を調整すると共に、前記一対の第２規制部材を構成する前記一対の２つの水切り部材について前記奥行き方向の位置を調整する制御手段と、
を備えることを特徴とする用紙加湿装置。
【請求項２】
前記制御手段は、加湿する用紙の余白領域よりも内側に、前記一対の２つの水切り部材について前記奥行き方向の位置を調整する
ことを特徴とする請求項１に記載の用紙加湿装置。
【請求項３】
前記一対の２つの水切り部材は、それぞれ独立して前記奥行き方向に移動可能となっている
ことを特徴とする請求項１又は請求項２のいずれかに記載の用紙加湿装置。
【請求項４】
用紙搬送方向に対する用紙の傾きを示す曲り量、及び、用紙平面において用紙搬送方向と直交方向への用紙のズレを示す片寄り量の少なくとも一方を検出する検出手段をさらに備え、
前記制御手段は、加湿する用紙の情報と、前記検出手段による検出結果に応じて、前記一対の２つの水切り部材について前記奥行き方向の位置を調整する
ことを特徴とする請求項１から請求項３のいずれか１項に記載の用紙加湿装置。
【請求項５】
前記検出手段は、前記曲り量を検出する機能を有し、
前記制御手段は、前記検出手段により検出された用紙の曲り量に応じて、当該用紙の加湿搬送中に、前記一対の２つの水切り部材について前記奥行き方向の位置を調整する
ことを特徴とする請求項４に記載の用紙加湿装置。
【請求項６】
前記一対の加湿ローラーによる加湿に先立って、前記一対の２つの水切り部材の前記奥行き方向の位置を調整する操作を受け付ける操作手段をさらに備え、
前記制御手段は、用紙を加湿する際に、前記操作手段への操作により受け付けられた位置の調整量を加味して、前記一対の２つの水切り部材について前記奥行き方向の位置を調整する
ことを特徴とする請求項１から請求項５のいずれか１項に記載の用紙加湿装置。
【請求項７】
前記制御手段は、加湿する用紙の先端側及び後端側において、加湿する用紙の中央側よりも、前記一対の第１規制部材の前記一対の給水ローラーに対する隙間量を小さくする
ことを特徴とする請求項１から請求項６のいずれか１項に記載の用紙加湿装置。
【請求項８】
請求項１から請求項７のいずれか１項に記載の用紙加湿装置と、
用紙に対して画像を形成して前記用紙加湿装置に供給すると共に、加湿する用紙の情報を前記制御手段に送信する制御部を有した画像形成装置と、
を備えることを特徴とする画像形成システム。
【発明の詳細な説明】
【技術分野】
【０００１】
本発明は、用紙加湿装置及び画像形成システムに関する。
【背景技術】
【０００２】
従来、容器内の水を汲み取る給水ローラーと、給水ローラーからの水分が塗布されると共に塗布された水分により用紙を加湿する加湿ローラーと、加湿ローラーの水膜量を規制する規制部材と、加湿ローラーにおける用紙幅方向の端部に相当する箇所の水分を除去する水分除去ローラーとを備えた用紙加湿装置が提案されている（例えば特許文献１参照）。
【０００３】
また、画像情報（画像面積率やベタ画像の最大面積値）が閾値以上であれば用紙に加湿処理を実行し、閾値以下であれば用紙に加湿処理を実行することなく排紙するように制御する用紙加湿装置についても提案されている（例えば特許文献２参照）。
【０００４】
さらに、用紙における表面と裏面の各々の面に形成された画像の情報（例えば印字率）に基づいて、用紙への加湿処理を実行するか否かを決定する用紙加湿装置についても提案されている（例えば特許文献３参照）。
【先行技術文献】
【特許文献】
【０００５】
【特許文献１】特開２００６−１５１６６５号公報
【特許文献２】特開２００８−４４７６５号公報
【特許文献３】特開２００９−１７３３５６号公報
【発明の概要】
【発明が解決しようとする課題】
【０００６】
ここで、特許文献１に記載の装置では、水分除去ローラーが加湿ローラーにおける用紙幅方向の端部に相当する箇所の水分を除去するものの、水分除去ローラーの位置が固定である。このため、加湿する用紙の幅によっては用紙幅方向端部に水分除去ローラーが位置しないこともあり、このような場合には用紙幅方向端部で水分過多となり、用紙端部にうねりが発生してしまうことがある。
【０００７】
そこで、あらゆる用紙幅に対応するように、水分除去ローラーを多数設け、多数の水分除去ローラーのうち用紙幅に応じた水分除去ローラーを加湿ローラーに圧接させることで対応可能であるが、この場合には、多数のローラーと多数のローラーのそれぞれを制御する構成が必要となり、構成の複雑化を招いてしまう。
【０００８】
さらに、特許文献２，３に記載の装置では、用紙の画像情報に応じて加湿するか否かを決定している。しかし、用紙は加湿される場合と加湿されない場合との２通りしかなく、適切に加湿を行っているとは言い難い。
【０００９】
本発明は、このような課題を解決するためになされたものであり、その目的とするところは、用紙幅方向の端部における加湿過多を防止しつつ用紙の加湿について適切化を図ると共に、構成の複雑化を抑えることができる用紙加湿装置及び画像形成システムを提供することにある。
【課題を解決するための手段】
【００１０】
上記目的を達成するため、本発明に係る用紙加湿装置は、水分が塗布された一対の加湿ローラーによって形成されるニップ部を用紙が通過することにより、当該用紙を加湿する用紙加湿装置であって、前記一対の加湿ローラーに接して水を塗布する一対の給水ローラーと、前記一対の給水ローラーに対して隙間を確保した状態で近接し、前記一対の給水ローラーが前記一対の加湿ローラーに対して水分を塗布する前に、前記一対の給水ローラーの水膜量を規制する一対の第１規制部材と、前記給水ローラーの回転軸方向に沿う奥行き方向に移動可能な２つの水切り部材を有し、前記一対の給水ローラーが前記一対の加湿ローラーに対して水分を塗布する前に、前記一対の給水ローラーのうち用紙幅方向の両端部に相当する箇所の水膜量を前記２つの水切り部材によって規制する一対の第２規制部材と、加湿する用紙の情報に基づいて、前記一対の第１規制部材の前記一対の給水ローラーに対する隙間量を調整すると共に、前記一対の第２規制部材を構成する前記一対の２つの水切り部材について前記奥行き方向の位置を調整する制御手段と、を備えることを特徴とする。
【００１１】
本発明に係る用紙加湿装置によれば、加湿する用紙の情報に基づいて、一対の第１規制部材の隙間量を調整するため、加湿する用紙の印字率や紙種などに基づいて除電のための適切な加湿を行って、加湿の適切化を図ることができる。また、加湿する用紙の情報に基づいて、一対の２つの水切り部材について奥行き方向の位置を調整するため、一対の第１規制部材による隙間、用紙サイズ、用紙余白の大きさなどに応じて、用紙幅方向の両端部の加湿量を適切とでき、加湿過多となることを防止することができる。さらに、ローラーを多数設け、多数のローラーのうち用紙幅に応じたローラーを加湿ローラーに圧接させるなどの複雑な構成を採用する必要もない。従って、用紙幅方向の端部における加湿過多を防止しつつ用紙の加湿について適切化を図ると共に、構成の複雑化を抑えることができる。
【００１２】
また、本発明に係る用紙加湿装置において、前記制御手段は、加湿する用紙の余白領域よりも内側に、前記一対の２つの水切り部材について前記奥行き方向の位置を調整することが好ましい。
【００１３】
この用紙加湿装置によれば、加湿する用紙の余白領域よりも内側に、一対の２つの水切り部材について奥行き方向の位置を調整するため、用紙幅方向の端部側への水のはみ出し量を見込んだ位置に２つの水切り部材を位置させることができ、用紙の余白領域に対する不要な加湿を防止することができる。
【００１４】
また、本発明に係る用紙加湿装置において、前記一対の２つの水切り部材は、それぞれ独立して前記奥行き方向に移動可能となっていることが好ましい。
【００１５】
この用紙加湿装置によれば、一対の２つの水切り部材はそれぞれ独立して奥行き方向に移動可能となっているため、それぞれの水切り部材が対称に移動したり同じ方向に同じ量で移動したりする機構の場合のように、水切り部材の移動に制約を受けず、より適切に用紙幅方向の両端部が加湿過多となってしまうことを防止することができる。
【００１６】
また、本発明に係る用紙加湿装置において、用紙搬送方向に対する用紙の傾きを示す曲り量、及び、用紙平面において用紙搬送方向と直交方向への用紙のズレを示す片寄り量の少なくとも一方を検出する検出手段をさらに備え、前記制御手段は、加湿する用紙の情報と、前記検出手段による検出結果に応じて、前記一対の２つの水切り部材について前記奥行き方向の位置を調整することが好ましい。
【００１７】
この用紙加湿装置によれば、検出された曲り量や片寄り量に応じて、一対の２つの水切り部材について奥行き方向の位置を調整するため、用紙が曲がっている場合や片寄っている場合にも、より適切に用紙幅方向の両端部が加湿過多となってしまうことを防止することができる。
【００１８】
また、本発明に係る用紙加湿装置において、前記検出手段は、前記曲り量を検出する機能を有し、前記制御手段は、前記検出手段により検出された用紙の曲り量に応じて、当該用紙の加湿搬送中に、前記一対の２つの水切り部材について前記奥行き方向の位置を調整することが好ましい。
【００１９】
この用紙加湿装置によれば、用紙の曲り量に応じて、当該用紙の加湿搬送中に、一対の２つの水切り部材について奥行き方向の位置を調整するため、用紙の加湿搬送中に用紙の曲りに追従するように一対の２つの水切り部材を移動させることができ、より一層適切に用紙幅方向の両端部が加湿過多となってしまうことを防止することができる。
【００２０】
また、本発明に係る用紙加湿装置において、前記一対の加湿ローラーによる加湿に先立って、前記一対の２つの水切り部材の前記奥行き方向の位置を調整する操作を受け付ける操作手段をさらに備え、前記制御手段は、用紙を加湿する際に、前記操作手段への操作により受け付けられた位置の調整量を加味して、前記一対の２つの水切り部材について前記奥行き方向の位置を調整することが好ましい。
【００２１】
この用紙加湿装置によれば、加湿に先立って一対の２つの水切り部材の位置を調整する操作を受け付け、用紙を加湿する際に受け付けられた位置の調整量を加味して、一対の２つの水切り部材について奥行き方向の位置を調整する。このため、加湿に先立って例えば一対の２つの水切り部材を用紙の内側方向に数ミリ移動させるなど操作しておけば、加湿の際にはこの操作内容を加味したうえで一対の２つの水切り部材を位置させることができ、用紙幅方向の両端部の加湿についてユーザーの好みを反映させることができる。
【００２２】
また、本発明に係る用紙加湿装置において、前記制御手段は、加湿する用紙の先端側及び後端側において、加湿する用紙の中央側よりも、前記一対の第１規制部材の前記一対の給水ローラーに対する隙間量を小さくすることが好ましい。
【００２３】
この用紙加湿装置によれば、加湿する用紙の先端側及び後端側において、一対の第１規制部材の隙間量を小さくするため、用紙幅方向の両端部のみならず、用紙の先端側と後端側における余白に対しても加湿過多となることを防止することができる。
【００２４】
また、本発明に係る画像形成システムは、上記のいずれか１つに記載の用紙加湿装置と、用紙に対して画像を形成して前記用紙加湿装置に供給すると共に、加湿する用紙の情報を前記制御手段に送信する制御部を有した画像形成装置と、を備えることを特徴とする。
【００２５】
本発明に係る画像形成システムによれば、画像形成装置が加湿する用紙の情報を制御手段に送信するため、用紙加湿装置において用紙の情報を取得するセンサ類を用いなくとも、用紙幅方向の端部における加湿過多を防止しつつ用紙の加湿について適切化を図ると共に、構成の複雑化を抑えることができる画像形成システムを提供することができる。
【発明の効果】
【００２６】
本発明によれば、用紙幅方向の端部における加湿過多を防止しつつ用紙の加湿について適切化を図ると共に、構成の複雑化を抑えることができる。
【図面の簡単な説明】
【００２７】
【図１】本実施形態に係る用紙加湿装置を含む画像形成システムを示す概略構成図である。
【図２】図１に示した用紙加湿部の詳細を示す構成図である。
【図３】図２に示した一対の第２規制ローラーを示す平面図であり、（ａ）は第１の例を示し、（ｂ）は第２の例を示している。
【図４】図２に示した用紙加湿部を示す側面図であり、（ａ）は一対の第１規制ローラーの隙間量が小さい場合の例を示し、（ｂ）は一対の第１規制ローラーの隙間量が大きい場合の例を示している。
【図５】図２に示した第２規制ローラーの位置制御の概略を示す正面図であり、（ａ）は第１規制ローラーの隙間量が大きい場合の例を示し、（ｂ）は第１規制ローラーの隙間量が小さい場合の例を示している。
【図６】用紙の曲り時における制御の概要を示す図であり、（ａ）は第１の処理を示し、（ｂ）は第２の処理を示している。
【図７】本実施形態に係る用紙加湿装置による用紙加湿方法を示すフローチャートである。
【発明を実施するための形態】
【００２８】
以下、図面に基づいて本発明の実施形態を説明するが、本発明は以下の実施形態に限られるものではない。
【００２９】
図１は、本実施形態に係る用紙加湿装置を含む画像形成システムを示す概略構成図である。図１に示す画像形成システム１は、画像形成装置Ａと、画像形成装置Ａにより画像形成された用紙Ｓに対して後処理を行う後処理装置Ｂとから構成されている。
【００３０】
画像形成装置Ａは、複数の感光体を一本の中間転写ベルトに対面させて縦方向に配列することにより用紙Ｓに対してフルカラーの画像を形成するタンデム型カラー式のものであって、上部に自動原稿搬送装置と走査露光装置とからなる画像読取装置２を有し、下部に画像形成部３と複数の給紙トレイ４とを有して構成される。
【００３１】
画像読取装置２は、自動原稿搬送装置の原稿トレイ上に載置された原稿を搬送部により搬送し、原稿の片面又は両面の画像を走査露光し、画像情報を読み取るものである。また、画像読取装置２は、コンタクトガラスに載置された原稿の画像情報についても読み取る構成となっている。
【００３２】
画像形成部３は、複数の給紙トレイ４から用紙Ｓの供給を受けるものであり、画像読取装置２により読み取られた画像情報、又は、ＰＣ（personal computer）等から送信された画像情報に基づいて、用紙Ｓに画像形成を行うものである。
【００３３】
この画像形成部３は、画像転写部３ａと、定着部３ｂとから構成されている。画像転写部３ａは、帯電、露光及び現像を行う電子写真プロセスにより、感光体上にトナー像を形成しこの画像を用紙Ｓに転写するものである。本実施形態において画像転写部３ａは、中間転写ベルトを有するタイプのものであり、複数の感光体上のトナー像は中間転写ベルトに転写され、中間転写ベルト上のトナー像が用紙Ｓに転写される。
【００３４】
定着部３ｂは、加熱ローラーと加圧ローラーとで用紙Ｓを搬送するニップ部を形成し、用紙Ｓを搬送しつつ加熱・加圧してトナーを溶融して、画像転写部３ａにより用紙Ｓに転写された画像を用紙Ｓに定着させるものである。
【００３５】
さらに、画像形成装置Ａは、定着部３ｂの下流側から、画像転写部３ａの上流側につながる反転経路５を備えている。反転経路５は、用紙Ｓの表裏を反転させたうえで、再度画像転写部３ａに再搬送するための経路である。この反転経路５により、用紙Ｓに対する表裏の画像形成が可能となっている。
【００３６】
後処理装置Ｂは、用紙Ｓを切断（パンチを含む）、加湿、折り、及びステープル処理等を施すものである。この後処理装置Ｂは、各種経路Ｒ１，Ｒ２と、排紙トレイＴｒと、用紙加湿部Ｃと、制御部（制御手段）７０と、センサ（検出手段）８０とを備えている。用紙加湿部Ｃと制御部７０とセンサ８０とによって用紙加湿装置が構成されている。
【００３７】
第１経路Ｒ１は、画像形成された用紙Ｓを受け入れて用紙加湿部Ｃまで搬送する経路であり、第２経路Ｒ２は、用紙加湿部Ｃを通過した用紙Ｓを排紙トレイＴｒまで搬送する経路である。ここで、上記の画像形成装置Ａによって画像形成された用紙Ｓは帯電状態となっており、帯電状態の用紙Ｓは種々の不都合をもたらす。このため、用紙加湿装置は画像形成された用紙Ｓに対して加湿を行う。
【００３８】
なお、本実施形態において第２経路Ｒ２は、用紙Ｓを排紙トレイＴｒまで導いているが、第２経路Ｒ２上には折り機構やステープル機構等が設けられていてもよい。また、第１経路Ｒ１においても切断機構などの他の機構が設けられていてもよい。
【００３９】
図２は、図１に示した用紙加湿部Ｃの詳細を示す構成図である。図２に示す用紙加湿部Ｃは、水分が塗布された一対の加湿ローラー１０によって形成されるニップ部Ｎを用紙Ｓが通過することにより、当該用紙Ｓを加湿するものである。このような用紙加湿部Ｃは、一対の加湿ローラー１０に加えて、一対の貯水部２０と、一対の汲み上げローラー３０と、一対の給水ローラー４０と、一対の第１規制ローラー（一対の第１規制部材）５０と、一対の第２規制ローラー（一対の第２規制部材）６０とを備えている。これらのうち一対の貯水部２０を除く各構成１０，３０，４０，５０，６０は、水平方向に延びる搬送路Ｒを挟んで上下対称に配置されている。
【００４０】
一対の貯水部２０は、水を貯留するものである。一対の汲み上げローラー３０は、その外周の一部が貯水部２０内の水に浸された状態となっており、回転に伴って貯水部２０の水をくみ上げる構成となっている。また、一対の汲み上げローラー３０は、一対の給水ローラー４０に接して配置されており、回転に伴って汲み上げた水を一対の給水ローラー４０に塗布する。
【００４１】
一対の給水ローラー４０は、一対の加湿ローラー１０に接して配置され、回転に伴って、外周面の水を一対の加湿ローラー１０に塗布するものである。一対の第１規制ローラー５０は、一対の給水ローラー４０に対して隙間を確保した状態で近接し、一対の給水ローラー４０が一対の加湿ローラー１０に対して水分を塗布する前に、一対の給水ローラー４０の水膜量を規制するものである。なお、一対の第１規制ローラー５０は、回転可能に支持されたローラー状の部材に限らず例えばプレート状の部材により構成されていてもよい。
【００４２】
図３は、図２に示した一対の第２規制ローラー６０を示す平面図であり、（ａ）は第１の例を示し、（ｂ）は第２の例を示している。なお、図３においては第２規制ローラー６０のみならず用紙Ｓについても図示すると共に、搬送路Ｒの一方側に位置する一方の第２規制ローラー６０のみを図示するものとする。
【００４３】
図３に示すように、第２規制ローラー６０は、同一の回転軸上に２つの水切りローラー（２つの水切り部材）６１，６２を有している。さらに、２つの水切りローラー６１，６２は、図３（ａ）及び図３（ｂ）に示すように、各ローラー１０，３０，４０，５０，６０の回転軸方向に沿う奥行き方向に移動可能となっている。このような２つの水切りローラー６１，６２は、一対の給水ローラー４０が一対の加湿ローラー１０に対して水分を塗布する前に、一対の給水ローラー４０のうち用紙幅方向の両端部に相当する箇所の水膜量を規制する。
【００４４】
ここで、２つの水切りローラー６１，６２については、それぞれに対して、例えば着脱自在のストッパ部材（不図示）と、奥行き方向に移動させる力を付与する駆動手段（不図示）とが設けられている。このため、ストッパ部材を外して駆動手段を駆動させることにより、２つの水切りローラー６１，６２をそれぞれ独立して移動可能となっている。移動後には、ストッパ部材により２つの水切りローラー６１，６２の位置が固定される。
【００４５】
なお、２つの水切りローラー６１，６２は、同一の回転軸上に（すなわち奥行き方向に並んで）配置されているが、これに限らず、異なる回転軸上（すなわち奥行き方向に並ばず）に配置されていてもよい。さらに、２つの水切りローラー６１，６２は、回転可能に支持されたローラー状の部材に限らず例えばプレート状の部材により構成されていてもよい。加えて、２つの水切りローラー６１，６２は、それぞれ独立して移動可能に構成すればよく、上記のストッパ部材及び駆動手段を有さず、又は、他の構成を加えた形態であってもよい。
【００４６】
図４は、図２に示した用紙加湿部Ｃを示す側面図であり、（ａ）は一対の第１規制ローラー５０の隙間量が小さい場合の例を示し、（ｂ）は一対の第１規制ローラー５０の隙間量が大きい場合の例を示している。なお、図４に示す例では、搬送路Ｒの一方側に位置する構成１０，２０，３０，４０，５０，６０のみを図示すると共に、用紙Ｓについても図示するものとする。さらに、図４では、水膜量等を強調して図示するものとする。
【００４７】
図４（ａ）及び図４（ｂ）に示すように、汲み上げローラー３０は、貯水部２０から水を汲み上げる。このときの水膜量をＷＦ１とする。次に、汲み上げローラー３０は、水膜量ＷＦ１の水を給水ローラー４０に塗布する。このときの給水ローラー４０の水膜量をＷＦ２とする。
【００４８】
ここで、図４（ａ）に示す例では、第１規制ローラー５０が給水ローラー４０により近接しており、隙間が小さくなっている。このため、水膜量ＷＦ２の水のうち多くの水が除去されることとなり、第１規制ローラー５０よりも後段側における給水ローラー４０の水膜量はＷＦ３となる。そして、この水膜量ＷＦ３の水が加湿ローラー１０に塗布され、加湿ローラー１０から用紙Ｓに塗布される。これにより、用紙Ｓ上の水膜量はＷＦ４となる。
【００４９】
これに対して、図４（ｂ）に示す例では、第１規制ローラー５０が給水ローラー４０に対して若干離れており、隙間が大きくなっている。このため、水膜量ＷＦ２の水のうち多くの水が除去されず、第１規制ローラー５０よりも後段側における給水ローラー４０の水膜量はＷＦ５（＞ＷＦ３）となる。そして、この水膜量ＷＦ５の水が加湿ローラー１０に塗布され、加湿ローラー１０から用紙Ｓに塗布される。これにより、用紙Ｓ上の水膜量はＷＦ６（＞ＷＦ４）となる。
【００５０】
このように、一対の第１規制ローラー５０は、給水ローラー４０に対する隙間量を変化させることで、用紙Ｓに塗布する全体的な水の塗布量を制御可能となっている。
【００５１】
再度図１を参照する。制御部７０は、後処理装置Ｂの全体を制御するものである。また、制御部７０は、画像形成装置Ａの制御部６との通信も行う構成となっており、用紙加湿装置の制御に必要となる情報（加湿する用紙Ｓの情報）を画像形成装置Ａから取得する。ここで、加湿する用紙Ｓの情報とは、用紙Ｓのサイズ及び紙種の情報、並びに、用紙Ｓの画像の濃さ（印字率）、画像形成領域、及び余白領域の情報である。なお、画像形成領域や余白領域の情報は、画像印刷時に設定されている余白の大きさから算出される情報であるが、特にこれに限らず、実際に画像が形成されている領域等から算出されてもよい。
【００５２】
センサ８０は、用紙搬送方向に対する用紙Ｓの傾きを示す曲り量、用紙平面において用紙搬送方向と直交方向への用紙Ｓのズレを示す片寄り量、及び、用紙Ｓの先後端の位置を検出するものである。このセンサ８０は、第１経路Ｒ１のうち、用紙加湿部Ｃの直前位置を搬送される用紙Ｓの曲り量等を検出するように、当該位置付近に設けられているが、これに限らず、用紙加湿部Ｃの搬送路Ｒのうちニップ部Ｎの上流側に設けられていてもよい。
【００５３】
次に、制御部７０による制御内容の概略を説明する。本実施形態において制御部７０は、加湿する用紙Ｓの情報に基づいて、一対の第１規制ローラー５０の隙間量を調整する。例えば、用紙Ｓの紙種がコート紙等である場合には、加湿量を多くしなければ除電効果が得られ難い。また、用紙Ｓの画像濃度（印字率）が高いほど用紙Ｓが帯電していることから適切に除電するためには、加湿量を多くする必要がある。このため、制御部７０は、加湿する用紙Ｓの情報に基づいて、適切な加湿量となるように一対の第１規制ローラー５０の隙間量を調整する。
【００５４】
さらに、制御部７０は、加湿する用紙Ｓの情報に基づいて、一対の２つの水切りローラー６１，６２について奥行き方向の位置を調整する。このとき、制御部７０は、一対の２つの水切りローラー６１，６２が加湿する用紙Ｓの余白領域ＭＡ（図３参照）よりも内側に位置するように、一対の２つの水切りローラー６１，６２について奥行き方向の位置を調整する。すなわち、制御部７０は、一対の２つの水切りローラー６１，６２の内側端部が画像形成領域ＧＡに進入した状態となるように、その位置を調整する。これにより、水のはみ出し量を考慮した適切な加湿状態を実現している。
【００５５】
図５は、図２に示した第２規制ローラー６０の位置制御の概略を示す正面図であり、（ａ）は第１規制ローラー５０の隙間量が大きい場合の例を示し、（ｂ）は第１規制ローラー５０の隙間量が小さい場合の例を示している。なお、図５に示す例では、搬送路Ｒの一方側に位置する構成１０，４０，６０のみを図示すると共に、用紙Ｓについても図示するものとする。さらに、図５では、水膜量等を強調して図示するものとする。
【００５６】
まず、図５（ａ）に示すように、第１規制ローラー５０の隙間量が大きい場合には、給水ローラー４０から加湿ローラー１０に塗布する際の水膜量ＷＦａも大きくなる。そして、このような水膜量ＷＦａに応じた水が加湿ローラー１０から用紙Ｓに塗布される。このため、用紙Ｓに対しては、比較的大きな水膜量ＷＦｂで水が塗布されることとなる。ここで、水が用紙Ｓに塗布されると、塗布した箇所から水が広がり、塗布領域よりも大きな領域に水が行き渡ることとなる。特に用紙Ｓには比較的大きな水膜量ＷＦｂで水が塗布されていることから、水の広がりの量（以下はみ出し量）ＰＡ１は大きくなる傾向にある。
【００５７】
ここで、用紙Ｓの余白領域ＭＡについては画像が形成されないことから、そもそも除電する必要性が小さい。このため、制御部７０は、水のはみ出し量ＰＡ１を考慮して、余白領域ＭＡに水が行き渡らないように（画像形成領域ＧＡのみに水が塗布されるように）、２つの水切りローラー６１，６２を用紙Ｓの余白領域ＭＡよりも内側に位置させる。特に、図５（ａ）に示す例では、比較的大きな水膜量ＷＦｂで水が塗布されていることから、制御部７０は、より一層余白領域ＭＡよりも内側に２つの水切りローラー６１，６２を位置させることとなる。
【００５８】
一方、図５（ｂ）に示すように、第１規制ローラー５０の隙間量が小さい場合には、給水ローラー４０から加湿ローラー１０に塗布する際の水膜量ＷＦｃも小さくなる。そして、このような水膜量ＷＦｃに応じた水が加湿ローラー１０から用紙Ｓに塗布される。このため、用紙Ｓに対しては、比較的小さな水膜量ＷＦｄで水が塗布されることとなり、水のはみ出し量ＰＡ２も小さくなる傾向にある。
【００５９】
このため、制御部７０は、水のはみ出し量ＰＡ２を考慮して、２つの水切りローラー６１，６２を余白領域ＭＡよりも内側に位置させるにあたり、余白領域ＭＡよりも少しだけ内側に２つの水切りローラー６１，６２を位置させることとなる。
【００６０】
さらに、本実施形態において制御部７０は、センサ８０により用紙Ｓの片寄りを検出した場合、片寄り量に応じて２つの水切りローラー６１，６２を位置させる。すなわち、用紙Ｓが全体的に奥行き方向に所定量だけ片寄って搬送されている場合、制御部７０は、片寄りが無い場合よりも、片寄り量分だけ、２つの水切りローラー６１，６２を奥行き方向に移動させることとなる。これにより、用紙Ｓの片寄りに対して適切に対応することとなる。
【００６１】
加えて、本実施形態において制御部７０は、センサ８０により用紙Ｓの曲りを検出した場合、以下の２通りの処理のうちいずれか一方を実行する。図６は、用紙Ｓの曲り時における制御の概要を示す図であり、（ａ）は第１の処理を示し、（ｂ）は第２の処理を示している。
【００６２】
図６（ａ）に示すように、用紙Ｓが搬送方向に対して角度θだけ曲った状態で搬送されているとする。この場合、制御部７０は、センサ８０により検出した曲り量θに応じて、２つの水切りローラー６１，６２を更に内側に移動させる。これにより、例えば一方の水切りローラー６１は、用紙Ｓの先端側において内側に位置させ過ぎていることとなり、用紙Ｓの後端側において適切に位置していることとなる。また、他方の水切りローラー６２は、用紙Ｓの先端側において適切に位置していることとなり、用紙Ｓの後端側において内側に位置させ過ぎていることとなる。しかしながら、このように２つの水切りローラー６１，６２を位置させた場合には、少なくとも余白領域ＭＡに水を塗布して加湿過多となってしまうことは防止できる。このように、制御部７０は、曲り量θに応じて２つの水切りローラー６１，６２を更に内側に移動させる。
【００６３】
また、図６（ｂ）に示すように、用紙Ｓが搬送方向に対して角度θだけ曲った状態で搬送されているとする。この場合、制御部７０は、センサ８０により検出した曲り量θに応じて、用紙Ｓの加湿搬送中に、２つの水切りローラー６１，６２の奥行き方向の位置を１回若しくは複数回又は連続的に調整する。具体的には制御部７０は、曲り量θの場合、２つの水切りローラー６１，６２の加湿搬送中における移動量Ｍを、Ｍ＝Ｌｔａｎθとする。ここで、Ｌは、搬送方向の用紙Ｓの移動量である。これにより、制御部７０は、用紙Ｓの曲りに追従するように２つの水切りローラー６１，６２の奥行き方向の位置を調整することとなり、適切に余白領域ＭＡの加湿過多を防止することができる。
【００６４】
さらには、本実施形態において制御部７０は、センサ８０により検出される用紙Ｓの先端位置及び後端位置に基づいて、用紙Ｓの先端側余白及び後端側余白の加湿過多を防止するようになっている。すなわち、制御部７０は、用紙Ｓの先端側及び後端側において、用紙Ｓの中央側よりも、一対の第１規制ローラー５０の隙間量を小さくする。これにより、より用紙Ｓの先後端におけるうねりについても防止することとなる。
【００６５】
次に、本実施形態に係る用紙加湿装置による用紙加湿方法を説明する。図７は、本実施形態に係る用紙加湿装置による用紙加湿方法を示すフローチャートである。まず、画像形成装置Ａにて画像形成指示がされたとすると、制御部７０は、画像形成される用紙Ｓのサイズ、紙種、画像濃度、画像形成領域ＧＡ、及び余白領域ＭＡの情報を画像形成装置Ａの制御部６から取得する（Ｓ１）。
【００６６】
次に、制御部７０は、センサ８０により検出された用紙Ｓの曲り量、及び片寄り量の情報を入力する（Ｓ２）。次に、制御部７０は、ステップＳ１にて取得した用紙Ｓの紙種及び画像濃度の情報に基づいて、一対の第１規制ローラー５０の基本隙間量を算出する（Ｓ３）。
【００６７】
次いで、制御部７０は、ステップＳ１にて取得した用紙Ｓの紙種及び画像濃度の情報（又はステップＳ３で算出した基本隙間量の情報）、並びに、用紙Ｓのサイズ、画像形成領域ＧＡ、及び余白領域ＭＡの情報と、ステップＳ２にて入力した用紙Ｓの曲り量、及び片寄り量の情報に基づいて、一対の２つの水切りローラー６１，６２の奥行き方向の位置を決定し、一対の２つの水切りローラー６１，６２をその位置に設定する（Ｓ４）。なお、図６（ｂ）に示す処理を実行する場合、制御部７０は、一対の２つの水切りローラー６１，６２が曲り量θに追従する移動設定を行う。
【００６８】
その後、制御部７０は、センサ８０により検出される用紙先端位置の情報と、ステップＳ１にて取得した余白領域ＭＡの情報とに基づいて、一対の第１規制ローラー５０と一対の給水ローラー４０との隙間の位置が、用紙先端の余白領域ＭＡに相当するかを判断する（Ｓ５）。用紙先端の余白領域ＭＡに相当しないと判断した場合（Ｓ５：ＮＯ）、相当すると判断されるまで、この処理が繰り返される。
【００６９】
一方、用紙先端の余白領域ＭＡに相当すると判断した場合（Ｓ５：ＹＥＳ）、制御部７０は、一対の第１規制ローラー５０の隙間量を、ステップＳ３にて算出した基本隙間量よりも小さい隙間量に設定する（Ｓ６）。その後、制御部７０は、上記隙間の位置が画像形成領域ＧＡに相当するかを判断する（Ｓ７）。
【００７０】
画像形成領域ＧＡに相当しないと判断した場合（Ｓ７：ＮＯ）、相当すると判断されるまで、この処理が繰り返される。一方、画像形成領域ＧＡに相当すると判断した場合（Ｓ７：ＹＥＳ）、制御部７０は、一対の第１規制ローラー５０の隙間量を、ステップＳ３にて算出した基本隙間量に設定する（Ｓ８）。
【００７１】
その後、制御部７０は、センサ８０により検出される用紙後端位置の情報と、ステップＳ１にて取得した余白領域ＭＡの情報とに基づいて、上記隙間の位置が用紙後端の余白領域ＭＡに相当するかを判断する（Ｓ９）。用紙後端の余白領域ＭＡに相当しないと判断した場合（Ｓ９：ＮＯ）、相当すると判断されるまで、この処理が繰り返される。
【００７２】
一方、用紙後端の余白領域ＭＡに相当すると判断した場合（Ｓ９：ＹＥＳ）、制御部７０は、一対の第１規制ローラー５０の隙間量を、ステップＳ３にて算出した基本隙間量よりも小さい隙間量に設定する（Ｓ１０）。
【００７３】
このようにして、本実施形態に係る用紙加湿装置及び画像形成システム１によれば、加湿する用紙Ｓの情報に基づいて、一対の第１規制ローラー５０の隙間量を調整するため、加湿する用紙Ｓの印字率や紙種などに基づいて除電のための適切な加湿を行って、加湿の適切化を図ることができる。また、加湿する用紙Ｓの情報に基づいて、一対の２つの水切りローラー６１，６２について奥行き方向の位置を調整するため、一対の第１規制ローラー５０による隙間、用紙サイズ、用紙余白の大きさなどに応じて、用紙幅方向の両端部の加湿量を適切とでき、加湿過多となることを防止することができる。さらに、ローラーを多数設け、多数のローラーのうち用紙幅に応じたローラーを加湿ローラーに圧接させるなどの複雑な構成を採用する必要もない。従って、用紙幅方向の端部における加湿過多を防止しつつ用紙の加湿について適切化を図ると共に、構成の複雑化を抑えることができる。
【００７４】
また、加湿する用紙Ｓの余白領域ＭＡよりも内側に、一対の２つの水切りローラー６１，６２について奥行き方向の位置を調整するため、用紙幅方向の端部側への水のはみ出し量ＰＡ１，ＰＡ２を見込んだ位置に２つの水切りローラー６１，６２を位置させることができ、用紙Ｓの余白領域ＭＡに対する不要な加湿を防止することができる。
【００７５】
また、一対の２つの水切りローラー６１，６２はそれぞれ独立して奥行き方向に移動可能となっているため、それぞれの水切りローラー６１，６２が対称に移動したり同じ方向に同じ量で移動したりする機構の場合のように、水切りローラー６１，６２の移動に制約を受けず、より適切に用紙幅方向の両端部が加湿過多となってしまうことを防止することができる。
【００７６】
また、検出された曲り量θ及び片寄り量に応じて、一対の２つの水切りローラー６１，６２について奥行き方向の位置を調整するため、用紙Ｓが曲がっている場合や片寄っている場合にも、より適切に用紙幅方向の両端部が加湿過多となってしまうことを防止することができる。
【００７７】
また、用紙Ｓの曲り量θに応じて、当該用紙Ｓの加湿搬送中に、一対の２つの水切りローラー６１，６２について奥行き方向の位置を調整するため、用紙Ｓの加湿搬送中に用紙Ｓの曲りに追従するように一対の２つの水切りローラー６１，６２を移動させることができ、より一層適切に用紙幅方向の両端部が加湿過多となってしまうことを防止することができる。
【００７８】
また、加湿する用紙Ｓの先端側及び後端側において、一対の第１規制ローラー５０の隙間量を小さくするため、用紙幅方向の両端部のみならず、用紙Ｓの先端側と後端側における余白に対しても加湿過多となることを防止することができる。
【００７９】
以上、本発明に係る用紙加湿装置及び画像形成システム１を実施形態に基づいて説明したが、本発明はこれに限定されるものではなく、本発明の趣旨を逸脱しない範囲で、変更を加えてもよいし、可能であれば公知技術等を組み合わせてもよい。
【００８０】
例えば、本実施形態において一対の加湿ローラー１０は常時圧着状態であるが、常時圧着状態に限らず、圧着離間可能に構成されていてもよい。また、第１経路Ｒ１から用紙加湿部Ｃを迂回して第２経路Ｒ２に至る経路を備えていてもよい。
【００８１】
また、上記実施形態において用紙加湿装置は、画像形成装置Ａの後段に接続される後処理装置Ｂに内蔵されているが、これに限らず、画像形成装置Ａに接続されず画像形成後の用紙Ｓに単独で後処理を行うオフラインフィニッシャーに適用されてもよい。この場合、オフラインフィニッシャーには、用紙の情報を取得する手段を備えるようにすればよい。
【００８２】
さらに、上記実施形態において、後処理装置Ｂに操作手段を設け、又は画像形成装置Ａの操作手段（不図示）を利用して、一対の加湿ローラー１０による加湿に先立って、一対の２つの水切りローラー６１，６２の奥行き方向の位置を調整する操作を受け付けるようにしてもよい。この場合、制御部７０は、用紙Ｓを加湿する際に、操作手段への操作により受け付けられた位置の調整量を加味して、一対の２つの水切りローラー６１，６２について奥行き方向の位置を調整する。これにより、加湿に先立って例えば一対の２つの水切りローラー６１，６２を用紙Ｓの内側方向に数ミリ移動させるなど操作しておけば、加湿の際にはこの操作内容を加味したうえで一対の２つの水切りローラー６１，６２を位置させることができ、用紙幅方向の両端部の加湿についてユーザーの好みを反映させることができる。
【符号の説明】
【００８３】
１      ：画像形成システム
２      ：画像読取装置
３      ：画像形成部
３ａ    ：画像転写部
３ｂ    ：定着部
４      ：給紙トレイ
５      ：反転経路
６      ：制御部
１０    ：一対の加湿ローラー
２０    ：一対の貯水部
３０    ：一対の汲み上げローラー
４０    ：一対の給水ローラー
５０    ：一対の第１規制ローラー（一対の第１規制部材）
６０    ：一対の第２規制ローラー（一対の第２規制部材）
６１，６２    ：２つの水切りローラー（２つの水切り部材）
７０    ：制御部（制御手段）
８０    ：センサ（検出手段）
Ａ      ：画像形成装置
Ｂ      ：後処理装置
Ｃ      ：用紙加湿部
ＧＡ    ：画像形成領域
ＭＡ    ：余白領域
Ｎ      ：ニップ部
ＰＡ１，ＰＡ２  ：はみ出し量
Ｒ      ：搬送路
Ｒ１    ：第１経路
Ｒ２    ：第２経路
Ｓ      ：用紙
Ｔｒ    ：排紙トレイ
【図１】
0006547605.tif 000002
【図２】
0006547605.tif 000003
【図３】
0006547605.tif 000004
【図４】
0006547605.tif 000005
【図５】
0006547605.tif 000006
【図６】
0006547605.tif 000007
【図７】
0006547605.tif 000008